(57)【特許請求の範囲】
【請求項１】
静止空気ガイドベーンを有するステータと、垂直回転軸を有するロータとから成るセグメントを備え、該セグメントは、ベースプレートに支持された縦型のカラムに積み重ねられ、該カラム内で互いに連結された風力エンジンのシャフトが動力受容部と結合される空気装置及び空圧装置の組立体であって、
前記組立体は、ステータ（５）に固定された剛性の連結棒（４）で互いに連結された少なくとも２つのカラム（３）で構成され、各ステータ（５）は、４本の管状の支柱（７）が円の周りに均等に離間されて円形の下板（８）と円形の上板（９）とに接続されることによって形成され、前記支柱は、該支柱に固定された２枚のパネル（１８，１９）を有し、前記２枚のパネルは、前記支柱（７）の軸を貫く半径に対して鋭角に設定された平面内に配置され、さらに、少なくとも１本の支柱（７）には、圧縮空気導管（３１）が固定され、前記空気圧縮導管は、前記パネル（１８，１９）と平行に向くノズル（３２）を備え、前記下板（８）及び前記上板（９）の対称軸には、ブレード（２７）を有する前記ロータ（６）のシャフト（２３）が支持されるベアリング（２２）のブラケット（１４）が存在し、１つのカラム（３ａ）の前記ロータ（６）の前記シャフト（２３）は、圧縮空気タンク（３４）に接続された圧縮機ユニット（３３）と結合され、前記圧縮空気タンクは、他のカラム（３ｂ，３ｃ）の前記ステータ（５）の前記圧縮空気導管（３１）に接続される圧縮空気システム（３７）に接続されることを特徴とする、空気装置及び空圧装置の組立体。
【請求項２】
前記ロータ（６）の前記ブレード（２７）は半円筒形であることを特徴とする、請求項１に記載の空気装置及び空圧装置の組立体。
【請求項３】
前記下板（８）と前記上板（９）との間の長方形の壁の形をした前記ガイドベーン（２０）は、半円筒形の前記ブレード（２７）の軸が存在する円に接する平面内に配置されることを特徴とする、請求項１に記載の空気装置及び空圧装置の組立体。
【請求項４】
前記上板（９）は、ベアリングプレート（１２）が着脱可能に接続されるリング（１１）から成ることを特徴とする、請求項３に記載の空気装置及び空圧装置の組立体。
【請求項５】
前記支柱（７）の先端部（１０）は、前記下板（８）及び前記リング（１１）より突出しており、前記先端部（１０）には、前記下板（８）側又は前記リング（１１）側に、締付けリング（１６）が取り付けられていることを特徴とする、請求項１に記載の空気装置及び空圧装置の組立体。
【請求項６】
前記先端部（１０）及び前記締付けリング（１６）は貫通孔（２１）を備え、該貫通孔は、一方向に、前記支柱（７）又は締付けリング（１６）の外縁部から等距離に配置されることを特徴とする、請求項５に記載の空気装置及び空圧装置の組立体。
【請求項７】
前記締付けリング（１６）には、前記連結棒（４）を接続するラグ（１７）が設けられていることを特徴とする、請求項５に記載の空気装置及び空圧装置の組立体。
【請求項８】
前記連結棒（４）は、カラム（３）の他の全セグメント（２）間に取り付けられることを特徴とする、請求項１に記載の空気装置及び空圧装置の組立体。
【請求項９】
前記ベアリング（２２）の前記ブラケット（１４）より突出する前記ロータ（６）の前記シャフト（２３）の端部には、先端部の外側にフェンダ（３０）を配置するストリップ（２９）を有する結合用の円板（２８）が存在し、前記フェンダ（３０）の側面は、可撓性のオーバレイ（２４）で覆われることを特徴とする、請求項１に記載の空気装置及び空圧装置の組立体。
【請求項１０】
前記圧縮空気タンク（３４）と前記ステータ（５）の前記圧縮空気導管（３１）との間には、制御システム（３８）を通じて前記ロータ（６）の速度メータと接続される電磁弁（３６）が設置されていることを特徴とする、請求項１に記載の空気装置及び空圧装置の組立体。
【請求項１１】
３つの前記カラム（３）で構成される、請求項１に記載の空気装置及び空圧装置の組立体。
【発明の詳細な説明】
【技術分野】
【０００１】
本発明の対象は、発電を目的とする空気装置及び空圧装置の組立体であり、特に、高出力装置である。
【背景技術】
【０００２】
特開２００２−１３０１１０号公報から、同軸上に配置されたガイドベーン及び補助ガイドベーンを有する複数のエンジンユニットから成る任意の高さの風力発電装置が知られている。個々のユニットのロータは、動力受容器にトルクを伝達するために、爪車と爪との協働を通じて接続される。
【発明の概要】
【０００３】
本発明によると、装置の組立体は、剛性の連結棒で相互連結されトラス構造を形成する少なくとも２つ、好適には３つのカラムから作製される。各カラムは、１つのセグメントが次のセグメントの上に同軸上に積み重ねられた少なくとも３つの縦型のセグメントから組立てられ、地面から最初のセグメントがベースに固定される。好適には、連結棒が他の全セグメント間に設置される。
【０００４】
セグメントは、ステータ及びロータから成る。セグメントのステータは、４本の管状の支柱が各端部で、円板、つまり下板と上板とを介して、互いに平行に支柱の両先端部が該上板及び該下板を越えて延びた状態で接続されて形成される。上板は、ボルトを使用して着脱可能に接続されたリング及びベアリングプレートから成る。支柱は、板間の距離より短い直径を有する円の周りで対称的に離間される。締付けリングは、下板を越えて延びる先端部上に取り付けられ、下板に固定される。締付けリングは、カラムを連結する連結棒を固定するためのラグを備える。先端部及び締付けリングは開口部を含み、開口部は、一方向に、支柱の外縁部又は締付けリングから等距離に配置され、個々のセグメントを連係するリンチピン用に意図される。下板及び上板の対称軸には、ベアリングを設置するためのブラケットが存在する。支柱と両板に固定されるのは、支柱の軸を通る１つの平面内に配置された２枚の縦型のパネルであり、該パネルは、板の軸から支柱の軸まで走る半径に対して鋭角に傾斜される。パネルの間には、円の周りに均等に離間されると共に中心を通る半径に対して鋭角に傾斜された、長方形の壁の形をしたガイドベーンが組込まれる。
【０００５】
各ステータの支柱の少なくとも１本には、外側に位置するパネルに接続する箇所に接続された圧縮空気導管を有する。ステータの各圧縮空気導管は、パネルと同様に向くノズルを備える。
【０００６】
ステータは、シャフトがベアリングに支持されたロータを収容する。シャフトには、２枚の円板が取り付けけられ、該円板の間には、円周の周りに配置された好適には８枚より多い縦型のロータブレードが存在し、該ロータブレードは、半円筒形である。ステータのガイドベーンは、該ガイドベーンを通る平面が、半円筒形のロータブレードの軸が存在する円に接するように、ロータブレードに対して配置される。結合用の円板は、ベアリングブラケットより突出するロータシャフトの先端部に設置され、該円板は、フェンダが外側に配置されるストリップを備える。フェンダの側面は、可撓性のオーバレイで覆われる。
【０００７】
１つのカラムのロータのシャフトは、圧縮空気タンクに接続された圧縮機と結合される。タンクからは、圧縮空気導管が出ており、該圧縮空気導管は、他のカラムに位置するステータ内の圧縮空気導管に接続される。カラム内に向かって配置されたステータの圧縮空気導管は、密閉されて接続される。圧縮空気タンクとステータ内の導管との間には、制御システムを通じてロータ速度メータに接続される電磁弁が設置されている。
【０００８】
本発明による解決方法により、駆動中の装置と結合される風力エンジンセグメントから途切れなく動力の受容が可能になる。無風時にも、これらのセグメントのロータは、タンク中に蓄積された圧縮空気によって駆動される。好適には、空気装置及び空圧装置の組立体の３つのカラムはいずれも、空気を圧縮するものとする。こうしたセグメントの設計により、特にカラムが正三角形のレイアウトで配設されたレイアウトで、確実にカラムユニットを迅速に組立て安定させられる。それ以外にも、こうしたセグメントの設計は、風力を非常に効率的に利用できるという特徴を持つ。
【０００９】
本発明の対象を、例示的な解決方法で説明する。
【図面の簡単な説明】
【００１０】
【図１】３つのカラムのユニットの概略平面図である。
【図２】圧縮空気ユニットを含むカラムの略図である。
【図３】軸方向から見た、拡大したセグメントのステータを示す図である。
【図４】セグメントの断面図である。
【図５】ロータの全体図である。
【図６】結合用の円板の表面からの拡大図である。
【図７】空気導管と支柱との接続部の断面に関する詳細図である。
【図８】圧縮空気ユニットの概略図である。
【発明を実施するための形態】
【００１１】
図面によると、正三角形のレイアウトで配置され、地面に固定された３枚のベースプレート１が、３つのカラム３ａ、３ｂ，３ｃが剛性の連結棒４で相互連結されてトラス構造を形成した形で、８つの風力エンジンのセグメント２のそれぞれを支持している。風力エンジンのセグメント２は、ステータ５及びロータ６から構成されている。ステータ５は、両端で下板８と上板９とに接続された４本の管状の支柱７で構成され、支柱７の先端部１０が下板８及び上板９より突出した状態で、下板８と上板９とは互いに平行になっている。上板９は、リング１１と、リング１１にボルト１３で取り付けられたベアリングプレート１２とから構成されている。ベアリングブラケット１４は、下板８及び上板９にボルト止めされている。支柱７は、下板８と上板９との間の距離よりも短い直径を有する円上で、対称的に離間されている。４つのリブ１５は下板８に溶接され、リブの短辺は、支柱７の先端部１０上に取り付けられた締付けリング１６に接続されている。締付けリング１６には、連結棒４を固定するためのラグ１７が設けられている。支柱７は、リング１１と下板８との間でそれらに溶接されており、パネル１８及び１９は、支柱の軸を通る平面に配置され、該パネル１８及び１９は、ステータ５の軸から支柱７の軸へと走る半径に対して鋭角に傾斜されている。支柱７間には、リング１１と下板８とに取り付けられた長方形の壁の形をした１６枚のガイドベーン２０がある。ガイドベーン２０は、円の周りに均等に離間している。先端部１０及び締付けリング１６は、個々のセグメント２を接続するリンチピン用の穴２１を備え、該穴２１は、径方向に、先端部１０の縁部又は締付けリング１６の縁部から等距離に配置されている。
【００１２】
ステータ５のベアリングブラケット１４のベアリング２２で支持されているのは、ロータ６のシャフト２３であり、シャフト２３の端部は、ベアリングブラケット１４の上方に突出している。シャフト２３には、リング１１の内径より若干小さな直径の２枚の円板２５及び２６が溶接されている。円板２５と円板２６との間に、両円板の外周周りで、８つの均等に離間した、それぞれが半円筒形を有するロータブレード２７があり、該ロータブレードは、円板２５及び２６の穴に挿入されて永久的に両円板に接続されている。半円筒形のロータブレード２７の直径と、円板２５及び２６の直径との比率は、１：４である。ロータブレード２７は、ロータ２４のシャフト２３の軸を通る直線が該ロータブレードの両縁部に接するように配置されている。ロータブレード２７に対して、ガイドベーン２０は、パネル１８及び１９と同様に、半円筒形のロータブレード２７の軸がその周りに離間して存在する円に接する平面内に配置されている。ロータ２４のシャフト２３の突出する先端部に円板２８が取り付けられ、該円板は、それぞれ外方に向かうフェンダ３０で終端する４つのストリップ２９を有し、該円板２８は、互いに対してフェンダ３０の幅だけシフトされている。フェンダ３０の側面は、ゴムの製オーバレイ２４で覆われている。２つのセグメント２が連結されると、結合用の円板２８のフェンダ３０は、同一レベル上になる。
【００１３】
支柱７には、圧縮空気ユニットの導管３１が取り付けられており、該導管には、その出口がロータブレード２７の内面の中心に向くノズル３２を備えている。導管３１には、密閉されたコネクタが設けられ、最上のセグメント２に圧縮空気を供給可能にできる。最上のセグメント２の導管３１は塞がれてれる。圧縮機ユニット３３は、カラム３ａの下側のロータ６のシャフトと結合され、高圧空気タンク３４に接続されている。他の２つのカラム３ｂ及び３ｃのロータ６のシャフト２３は、発電機３５と結合されている。高圧空気タンク３４は、電磁弁３６と、圧縮空気システム３７と、その分岐とを通じて、カラム３ｂ及び３ｃのステータ５の導管３１に接続されている。電磁弁３６は、制御システム３８を介して、ロータ６の速度メータに結合されている。
【図１】
0006037403.tif 000002
【図２】
0006037403.tif 000003
【図３】
0006037403.tif 000004
【図４】
0006037403.tif 000005
【図５】
0006037403.tif 000006
【図６】
0006037403.tif 000007
【図７】
0006037403.tif 000008
【図８】
0006037403.tif 000009